(57)【要約】【課題】  コストアップすることなく装飾を施すことができ、しかも、多種多様な意匠効果も発揮されるようにしたガラス瓶を提供する。【解決手段】  このガラス瓶は、筒状の胴部２の相対する位置に一対の透明窓部５，５が設けられ、該透明窓部５，５を除いた部分に装飾部６が設けられている。前記透明窓部５，５は、胴部２よりも拡大して突出する膨出部、胴部２と同じ径の原形部、または胴部２よりも窪んだ狭窄部のいずれか、または、これらの任意の組合せによって構成されている。前記透明窓部５の一方には、文字や図柄などの標章を裏面にも印刷されたラベル７が貼付されている。【選択図】  図１
2006036254.tif 000002
【特許請求の範囲】
【請求項１】
筒状の胴部に相対する一対の透明窓部が設けられ、該透明窓部を除いた部分に装飾部が設けられていることを特徴とするガラス瓶。
【請求項２】
前記透明窓部は、胴部よりも突出した膨出部によって凸状レンズを構成していることを特徴とする請求項１に記載のガラス瓶。
【請求項３】
前記透明窓部は、胴部と同じ径の原形部によって凸状レンズを構成していることを特徴とする請求項１に記載のガラス瓶。
【請求項４】
前記透明窓部は、胴部よりも窪んだ狭窄部によって凹状レンズを構成していることを特徴とする請求項１に記載のガラス瓶。
【請求項５】
前記透明窓部の少なくとも一方の表面には、文字や図柄などの標章を少なくとも裏面に印刷したラベルが貼付されていることを特徴とする請求項１ないし４のいずれか一つに記載のガラス瓶。
【発明の詳細な説明】
【技術分野】
【０００１】
本発明は、例えば酒類や化粧水のような液体などを入れておくガラス瓶に関し、詳しくは、デザイン性を重視したガラス瓶に関する。
【背景技術】
【０００２】
ガラス瓶は、洋酒や化粧水のような液体を入れるものや、香辛料のような紛粒体を入れるものなど、内容物に応じて様々な形状や大きさに製造されている。特に洋酒や化粧水を入れるガラス瓶にあっては、形状自体に特徴があり、自他商品識別力が発揮されるものもある。そして、近年、例えば焼酎など入れるガラス瓶にあっては、従来からの一般的な形状を維持しつつ、人目を惹くような印刷や艶消しなどの装飾を施したものも提供されている。
【０００３】
例えば、特許文献１には、意匠性に優れ、商品価値を高めるようにした硝子容器が開示されている。この硝子容器は、硝子瓶本体の一部に平滑な窓部が設けられ、この窓部以外の硝子瓶本体の外面を粗面化した艶消しが施され、前記窓部に相対する硝子瓶本体の外面に文字や図柄などの加飾が施されている。このような硝子容器の内部に透明な液体が入れられていると、この液体がレンズのように作用し、窓部から加飾の裏面の文字や図柄などを通して見ることができ、特殊な意匠性が発揮される。
【特許文献１】特開２００１−７２０６９号公報
【発明の開示】
【発明が解決しようとする課題】
【０００４】
特許文献１に開示された硝子容器は、窓部を設ける部分の硝子瓶本体にマスキングを施した後に、フッ化水素でフロスト加工し、あるいは砂や鉄粉などを吹き付けるサンドブラスティングすることにより、容器本体の窓部以外の外面を粗面化した艶消しが施されている。このような硝子容器は、水洗いされることにより、マスキングが除去されるとともに、フッ化水素が洗い流される。
【０００５】
しかし、硝子容器の窓部を設ける部分にマスキングを施し、外面を粗面化した艶消しを施し、そして水洗いする作業は、面倒であり、硝子容器のコストアップの一因ともなる。また、この硝子容器は、窓部以外が単なる粗面化された艶消しであるため、意匠効果も限定されたものとなっている。
【０００６】
そこで、本発明は、コストアップすることなく装飾を施すことができ、しかも、多種多様な意匠効果も発揮されるようにしたガラス瓶を提供することを課題とする。
【課題を解決するための手段】
【０００７】
本発明に係るガラス瓶は、筒状の胴部に相対する一対の透明窓部が設けられ、該透明窓部を除いた部分に装飾部が設けられていることを特徴としている。
【０００８】
このガラス瓶によれば、筒状の胴部に相対するように設けられた一対の透明窓部と、この透明窓部を除いた部分に設けられた装飾部との相乗作用により、斬新な意匠性が発揮される。すなわち、このガラス瓶は、装飾部の意匠性に加え、透明窓部から目視される装飾部の裏面によっても意匠性が発揮されする。したがって、装飾部は、胴部の表面を彫りこんだ彫刻や凹凸などのように外形を構成する模様、梨地や斑紋のような地模様、あるいは縞や波紋のような帯状ないし面状の模様などのように裏面側から目視されても意匠性が発揮される模様が施されていることが好ましい。
【０００９】
なお、筒状の胴部は、一般的な円筒形に限定するものではなく、角筒形、樽形、瓢箪形など任意の形状とすることができる。また、このガラス瓶は、通常のガラス瓶と同様、一般的な工程および装置によって製造することができる。すなわち、このガラス瓶は、溶融ガラスを粗型の金型によって大まかな形状に成形し、その後、本型の金型によって所定の形状に成形し、常温まで冷却することによって製造されるため、通常のガラス瓶を製造する場合と比べてコストアップすることがない。
【００１０】
また、前記ガラス瓶において、前記透明窓部は、胴部よりも突出した膨出部によって凸状レンズを構成していることが好ましい。
【００１１】
このガラス瓶によれば、透明窓部が胴部よりも突出することにより、この突出した透明窓部のエッジがレンズのように作用し、一方の透明窓部から透視される他方の透明窓部および装飾部の裏面側の模様が変形し、特殊な意匠効果が発揮される。なお、突出部によって構成される透明窓部の厚さは、胴部の厚さと同じとされている。
【００１２】
また、前記ガラス瓶において、前記透明窓部は、胴部と同じ径の原形部によって凸状レンズを構成していてもよい。
【００１３】
このガラス瓶によれば、胴部が円筒形である場合において、透明窓部が一対の原形部とされることにより、ガラス瓶内に透明ないし半透明の液体が入れられたときに、この液体と原形部とが一体となってレンズのように作用し、一方の透明窓部から透視される他方の透明窓部および装飾部の裏面側が幅広に拡大するように変形し、特殊な意匠効果が発揮される。
【００１４】
また、前記ガラス瓶において、前記透明窓部は、胴部よりも窪んだ狭窄部によって凹状レンズを構成していてもよい。
【００１５】
このガラス瓶によれば、透明窓部が胴部よりも窪んだ狭窄部とされることにより、ガラス瓶内に透明ないし半透明の液体が入れられたときに、この液体と原形部とが一体となって凹レンズのように作用し、一方の透明窓部から透視される他方の透明窓部および装飾部の裏面側が幅狭に縮小するように変形し、特殊な意匠効果が発揮される。
【００１６】
また、前記ガラス瓶において、前記透明窓部の少なくとも一方の表面には、文字や図柄などの標章を少なくとも裏面に印刷したラベルが貼付されていてもよい。
【００１７】
このガラス瓶によれば、一方の透明窓部にラベルが貼付されることにより、ガラス瓶の模様を容易に変更することができる。また、ラベルは、裏面に文字や図柄などの標章が印刷されることにより、この裏面側の標章を他方の透明窓部から透視することができる。この透視された表彰は、前記のように他方の透明窓部から透視されたときに変形し、特殊な意匠効果が発揮される。
【発明の効果】
【００１８】
本発明によれば、筒状の胴部に相対する一対の透明窓部が設けられ、該透明窓部を除いた部分に装飾部が設けられていることにより、一方の透明窓部から他方の透明窓部の方を透視したときに目視される胴部の裏面側の意匠と装飾部の表面の意匠とが一体となり、それぞれが単独に設けられる意匠にはない特殊な意匠効果が発揮され、商品の差別化を図ることができる。また、このガラス瓶の製造コストは、通常のガラス瓶の製造コストよりも上昇することがないため、需要の拡大を図ることもできる。
【発明を実施するための最良の形態】
【００１９】
本発明に係るガラス瓶の実施形態について図１ないし図４を参照しながら説明する。このガラス瓶は、一般的なガラス瓶と同様、底部１、胴部２、肩部３、そして首部４が連続して一体成形されている。また、胴部２は、用途に応じて、円筒形、角筒形、樽形、瓢箪形など任意の形状が採用されるが、ここでは、円筒形を図示して説明する。
【００２０】
そして、このガラス瓶は、胴部２の相対する位置に一対の透明な透明窓部５，５が設けられ、この透明窓部５，５を除いた胴部２の全部または一部に透明でない装飾部６が設けられていることを特徴としている。透明窓部５は、図１および図２に示すように、装飾部６と同じ厚さで、胴部２よりも突出する膨出部、あるいは図３に示すように胴部２と同じ径の原形部、あるいは図４に示すように、装飾部６と同じ厚さで、胴部２よりも窪んだ狭窄部など、様々な形状とすることができる。
【００２１】
また、これらの透明窓部５，５は、図１ないし図４に示したように、同じ形状のものが一対、設けられるほか、同じ形状のものが複数対、設けられてもよいし、膨出部の対と狭窄部の対のように異なる形状の組合せで複数対、設けられてもよい。さらに、透明窓部５，５は、一方が膨出部で他方が狭窄部のように異なる形状の対とすることもできる。
【００２２】
そして、透明窓部５は、図示したような四角形に限定するものではなく、円形や楕円形、三角形、星形、その他の形状とすることができる。また、一対の透明窓部５，５は同じ形状としてもよいし、異なる形状ないし異なる大きさの組合せとしてもよい。
【００２３】
一方、装飾部６は、図示しないが、胴部２の表面を掘りこんだ彫刻や凹凸などのように外形を構成する模様、梨地や斑紋のような地模様、あるいは縞や波紋のような帯状ないし面状の模様など、透明でない任意の模様を施した部分である。
【００２４】
このようなガラス瓶は、溶融ガラスを粗型の金型によって大まかに成形し、その後、本型の金型によって所定の形状に形成し、除冷炉において常温にまで冷却することによって製造される。すなわち、このガラス瓶は、通常のガラス瓶を製造する装置において、金型を交換するだけで製造することができる。
【００２５】
そして、製造されたガラス瓶は、一方の透明窓部５にラベル７が貼付される。ラベル７は、商品や季節などに適したものが、適宜、選択されて貼付される。ラベル７は、透けて見えないような材質のものを使用することにより、表面と裏面とで異なる標章を表示することができる。例えば、ラベル７の表面と裏面とに同じ文字を表示してもよいし、一方の片面に文字、他方の片面に模様を表示してもよいし、同じ模様を表示してもよい。
【００２６】
ラベル７の裏面に印刷された文字や図柄などの標章は、他方の透明窓部５から透視される。すなわち、ガラス瓶内に透明ないし半透明の液体が入れられることによって、この液体がレンズのように作用し、標章が変形して特殊な意匠効果が発揮される。すなわち、ラベル７の裏面に印刷された標章は、一対の透明窓部５が膨出部または原形部であれば、幅広に拡大し、狭窄部であれば幅狭に縮小する。
【００２７】
そして、一対の透明窓部５，５が胴部２よりも突出した膨出部によって構成されているときは、膨出部のエッジがレンズのように作用し、一方の透明窓部５から他方の透明窓部５を透視したときに、他方の透明窓部５に貼付されたラベル７の裏面側の表彰や装飾部６の裏面側の模様が歪むようにに変形し、特殊な意匠効果が発揮される。
【００２８】
また、一対の透明窓部５，５の大きさが異なる場合において、小さいほうの透明窓部５にラベル７が貼付されると、他の大きいほうの透明窓部５からは、ラベル７の裏面の標章と装飾部６の裏面との両方が透視され、独特の意匠効果が発揮される。
【００２９】
このようにして、このガラス瓶は、一方の透明窓部５から他方の透明窓部５を透視したときに目視される透明窓部５および装飾部６の各裏面に現れる意匠と装飾部６の意匠とが組み合わされて、それぞれが単独に設けられているときにはない特殊な衣装効果が発揮され、他の商品との差別化を図ることができる。
【００３０】
なお、本発明は、前記の実施形態に限定することなく、特許請求の範囲に記載された技術的事項において種々変更することができる。
【００３１】
例えば、ガラス瓶内には、透明でない液体や香辛料のような紛粒体を入れてもよい。これらの場合は、一方の透明窓部５から他方の透明窓部５を透視することができないものの、透明窓部５と装飾部６との組合せによって特殊な意匠効果が発揮される。さらに、透明窓部５には、ラベル７を貼付するのではなく、セラミック印刷やエポキシ樹脂印刷などによって直接、印刷してもよい。
【図面の簡単な説明】
【００３２】
【図１】本発明に係るガラス瓶の一実施形態を示す断面斜視図である。
【図２】本発明に係るガラス瓶の一実施形態を示す断面正面図である。
【図３】本発明に係るガラス瓶であって前記と異なる実施形態を示す断面正面図である。
【図４】本発明に係るガラス瓶であって前記と異なる実施形態を示す断面正面図である。
【符号の説明】
【００３３】
２…胴部
５…透明窓部
６…装飾部
７…ラベル
【図１】
2006036254.tif 000003
【図２】
2006036254.tif 000004
【図３】
2006036254.tif 000005
【図４】
2006036254.tif 000006